(57)【特許請求の範囲】
【請求項１】
車両に設けられて当該車両の錠を解錠する付属装置と、前記付属装置と通信を行う車両管理装置とを有するシステムであって、
前記車両管理装置は、
前記錠の解錠に用いられる複数のパスコードを含むパスコード群を発行するパスコード発行手段と、
前記パスコード群を前記付属装置へ送信する第１送信手段と、
前記車両が貸与されるユーザの端末装置へ前記パスコード群から選択したパスコードを送信する第２送信手段と
を有し、
前記付属装置は、
前記第１送信手段が送信したパスコード群を受信するパスコード受信手段と、
前記パスコード受信手段が受信したパスコード群を記憶する記憶手段と、
前記記憶手段に記憶されたパスコード群のうち使用されていないパスコードを、前記錠を解錠するパスコードに設定する設定手段と、
前記パスコードの入力を受け付けるパスコード受付手段と、
前記パスコード受付手段が受け付けたパスコードと、前記設定手段が設定したパスコードとが一致した場合、前記錠を解錠する錠制御手段と、
前記第１送信手段が送信したパスコード群を前記パスコード受信手段が受信すると、当該パスコード群の送信に対する応答を前記車両管理装置へ送信する応答送信手段と、
を有し、
前記第１送信手段は、貸与された前記車両が返却されると新たに前記パスコード群を送信し、
前記記憶手段は、前記パスコード受信手段が新たなパスコード群を受信すると、記憶するパスコード群を更新し、
前記設定手段は、前記記憶手段に記憶されるパスコード群が更新されると、更新されたパスコード群から選択したパスコードを前記錠を解錠するパスコードに設定し、
前記第２送信手段は、前記設定手段が設定したパスコードを送信する手段であり、
前記車両管理装置は、
前記第１送信手段が送信したパスコード群の送信に対する前記応答送信手段からの応答を受信すると、当該パスコード群を有効なパスコード群として扱い、前記有効なパスコード群から選択したパスコードを前記車両が貸与されるユーザの端末装置へ前記第２送信手段で送信し、前記第１送信手段が送信したパスコード群の送信に対する前記応答送信手段からの応答を受信していない場合、前記付属装置で受信済みのパスコード群から前記設定手段が設定したパスコードを前記車両が貸与されるユーザの端末装置へ前記第２送信手段で送信すること
を特徴とする車両管理システム。
【請求項２】
前記第１送信手段は、複数の付属装置へ前記パスコード群を送信し、
各付属装置に送信されるパスコード群は、他の付属装置へ送信されるパスコード群とは異なること
を特徴とする請求項１に記載の車両管理システム。
【請求項３】
前記付属装置は、前記ユーザへの前記車両の貸与が終了した場合、前記ユーザが前記錠の解錠に使用したパスコードを前記記憶手段から消去すること
を特徴とする請求項１又は請求項２に記載の車両管理システム。
【請求項４】
前記付属装置は、前記設定手段が設定したパスコードと異なるパスコードを前記パスコード受付手段で受付けた場合、設定されていないパスコードを受け付けたことを通知する情報を前記車両管理装置へ送信する情報送信手段を有し、
前記車両管理装置は、前記情報送信手段が送信した情報を受信する情報受信手段を有し、前記情報受信手段が前記情報を受信した場合、前記パスコードの誤入力を通知する情報を前記第２送信手段で前記ユーザの端末装置へ送信すること
を特徴とする請求項１乃至請求項３のいずれか一項に記載の車両管理システム。
【請求項５】
前記パスコード発行手段は、所定の場所へ駐車中の前記車両の前記付属装置へ前記パスコード群を発行する場合、当該車両の場所及び当該車両の場所から所定範囲内にある所定の駐車場に駐車中の車両、又は当該車両の場所から所定範囲内にある車両のうちの少なくともいずれか一方の車両の前記付属装置で受信済みのパスコード群とは異なるパスコード群を発行すること
を特徴とする請求項１に記載の車両管理システム。
【請求項６】
車両の錠の解錠に用いられる複数のパスコードを含むパスコード群を発行するパスコード発行手段と、
前記パスコード群を前記錠を制御する付属装置へ送信する第１送信手段と、
前記車両が貸与されるユーザの端末装置へ前記パスコード群から選択したパスコードを送信する第２送信手段と
を有し、
前記第１送信手段は、貸与された前記車両が返却されると新たに前記パスコード群を送信し、
前記第２送信手段は、前記付属装置が前記第１送信手段で送信されたパスコード群から前記錠を解錠するパスコードとして設定したパスコードを送信し、
前記付属装置は、前記第１送信手段が送信したパスコード群を受信すると、当該パスコード群の送信に対する応答を前記車両管理装置へ送信する応答送信手段を有し、
前記第１送信手段が送信したパスコード群の送信に対する前記応答送信手段からの応答を受信すると、当該パスコード群を有効なパスコード群として扱い、前記有効なパスコード群から選択したパスコードを前記車両が貸与されるユーザの端末装置へ前記第２送信手段で送信し、前記第１送信手段が送信したパスコード群の送信に対する前記応答送信手段からの応答を受信していない場合、前記付属装置で受信済みのパスコード群から前記付属装置が設定したパスコードを前記車両が貸与されるユーザの端末装置へ前記第２送信手段で送信すること
を特徴とする車両管理装置。
【請求項７】
車両管理装置が、車両の錠の解錠に用いられる複数のパスコードを含むパスコード群を発行するパスコード発行ステップと、
前記車両管理装置が、前記パスコード群を前記錠を制御する付属装置へ送信する第１送信ステップと、
前記車両管理装置が、前記車両が貸与されるユーザの端末装置へ前記パスコード群から選択したパスコードを送信する第２送信ステップと、
前記付属装置が、前記第１送信ステップで送信されたパスコード群を受信するパスコード受信ステップと、
前記付属装置が、前記パスコード受信ステップで受信したパスコード群を記憶する記憶ステップと、
前記付属装置が、前記記憶ステップで記憶されたパスコード群のうち使用されていないパスコードを前記錠を解錠するパスコードに設定する設定ステップと、
前記付属装置が、前記パスコードの入力を受け付けるパスコード受付ステップと、
前記付属装置が、前記パスコード受付ステップで受け付けたパスコードと、前記設定ステップで設定したパスコードとが一致した場合、前記錠を解錠する錠制御ステップと、
前記第１送信ステップで送信されたパスコード群が前記パスコード受信ステップで受信されると、当該パスコード群の送信に対する応答を前記車両管理装置へ送信する応答送信ステップと、
を有し、
前記第１送信ステップは、貸与された前記車両が返却されると新たに前記パスコード群を送信し、
前記記憶ステップは、前記パスコード受信ステップで新たなパスコード群を受信すると、記憶するパスコード群を更新し、
前記設定ステップは、記憶されるパスコード群が前記記憶ステップで更新されると、更新されたパスコード群から選択したパスコードを前記錠を解錠するパスコードに設定し、
前記第２送信ステップは、前記設定ステップが設定したパスコードを送信するステップであり、
前記車両管理装置は、
前記第１送信ステップで送信されたパスコード群に対して前記応答送信ステップからの応答を受信すると、当該パスコード群を有効なパスコード群として扱い、前記有効なパスコード群から選択したパスコードを前記車両が貸与されるユーザの端末装置へ前記第２送信ステップで送信し、前記第１送信ステップで送信されたパスコード群に対して前記応答送信ステップからの応答を受信していない場合、前記付属装置で受信済みのパスコード群から前記設定ステップで設定されたパスコードを前記車両が貸与されるユーザの端末装置へ前記第２送信ステップで送信すること
を特徴とする車両管理方法。
【請求項８】
コンピュータを、
車両の錠の解錠に用いられる複数のパスコードを含むパスコード群を発行するパスコード発行手段と、
前記パスコード群を前記錠を制御する付属装置へ送信する第１送信手段と、
前記車両が貸与されるユーザの端末装置へ前記パスコード群から選択したパスコードを送信する第２送信手段
として機能させ、
前記第２送信手段は、前記付属装置が前記第１送信手段で送信されたパスコード群から前記錠を解錠するパスコードとして設定したパスコードを送信するよう機能させ、
前記第１送信手段は、貸与された前記車両が返却されると新たに前記パスコード群を送信し、
前記第１送信手段が送信したパスコード群の送信に対する前記付属装置からの応答を受信すると、当該パスコード群を有効なパスコード群として扱い、前記有効なパスコード群から選択したパスコードを前記車両が貸与されるユーザの端末装置へ前記第２送信手段で送信し、前記第１送信手段が送信したパスコード群の送信に対する前記付属装置からの応答を受信していない場合、前記付属装置で受信済みのパスコード群から前記付属装置が設定したパスコードを前記車両が貸与されるユーザの端末装置へ前記第２送信手段で送信するよう機能させるためのプログラム。
【発明の詳細な説明】
【技術分野】
【０００１】
本発明は、車両を貸与する技術に関する。
【背景技術】
【０００２】
特許文献１には、駐輪場における自転車の貸し出しを自動化するシステムが開示されている。このシステムは、自転車付帯装置、駐輪場サーバ、借用者端末を有している。自転車付帯装置は、自転車の錠を制御する機能、インターネットを介して駐輪場サーバへアクセスする機能、借用者端末と短距離無線通信を行う機能などを備えており、錠を解錠するための暗証番号を予め記憶している。駐輪場サーバは、自転車の貸し出しを管理する装置であり、使用を許可した借用者の借用者端末へ自転車付帯装置の暗証番号を送信する。借用者端末は、自転車を借用するユーザが保有する携帯電話機であり、インターネットを介して駐輪場サーバへアクセスする機能と、短距離無線通信で自転車付帯装置と通信を行う機能を有している。借用者端末は、駐輪場サーバから送信される暗証番号を受信する。このシステムにおいては、借用者は駐輪場へ行き、借用者端末から暗証番号を短距離無線通信により自転車付帯装置へ送信する。自転車付帯装置は、受信した暗証番号と記憶している暗証番号とが一致するか判定し、一致した場合は錠を解錠する。
また、特許文献２には、自転車を借りるユーザが替わる毎に自転車の錠を解錠するための符号を変更するシステムが開示されている。このシステムにおいては、ユーザが携帯電話でセンターサーバに接続したことを契機にしてセンターサーバがユニークな番号を生成し、生成した番号をユーザの携帯電話と、レンタル自転車の錠に送信する。錠においては、センターサーバから送信された番号とユーザがテンキーで入力した番号が一致すると錠を解錠する。
【先行技術文献】
【特許文献】
【０００３】
【特許文献１】特開２００５−１７３９９３号公報
【特許文献２】特許第４６４０６６７号公報
【発明の概要】
【発明が解決しようとする課題】
【０００４】
特許文献１のシステムの場合、暗証番号は１台の自転車付帯装置において固定となっている。このため、例えば、自転車付帯装置と借用者端末との通信が盗聴された場合、暗証番号を自転車付帯装置に送信し、錠を解錠されて自転車を盗難される虞がある。一方、特許文献２のシステムの場合、ユーザが替わる毎に錠を解錠するための番号が変更されるため、番号を盗聴されることによる盗難の可能性は低くなる。しかしながら、ユーザに番号を送信できたものの、自転車が電波の状況の悪い場所にある場合、自転車の錠には番号が届かないという場合が生じ得る。この場合、錠には番号が届いていないため、番号が届いたユーザが番号を入力しても錠が解錠されず、自転車を使用できないという問題が生じる。
【０００５】
本発明は、上述した背景の下になされたものであり、錠を解錠するための情報を車両側で受信できない状況が生じても、車両を使用できるようにすることを目的とする。
【課題を解決するための手段】
【０００６】
本発明は、車両に設けられて当該車両の錠を解錠する付属装置と、前記付属装置と通信を行う車両管理装置とを有するシステムであって、前記車両管理装置は、前記錠の解錠に用いられる複数のパスコードを含むパスコード群を発行するパスコード発行手段と、前記パスコード群を前記付属装置へ送信する第１送信手段と、前記車両が貸与されるユーザの端末装置へ前記パスコード群から選択したパスコードを送信する第２送信手段とを有し、前記付属装置は、前記第１送信手段が送信したパスコード群を受信するパスコード受信手段と、前記パスコード受信手段が受信したパスコード群を記憶する記憶手段と、前記記憶手段に記憶されたパスコード群のうち使用されていないパスコードを、前記錠を解錠するパスコードに設定する設定手段と、前記パスコードの入力を受け付けるパスコード受付手段と、前記パスコード受付手段が受け付けたパスコードと、前記設定手段が設定したパスコードとが一致した場合、前記錠を解錠する錠制御手段と、前記第１送信手段が送信したパスコード群を前記パスコード受信手段が受信すると、当該パスコード群の送信に対する応答を前記車両管理装置へ送信する応答送信手段と、を有し、前記第１送信手段は、貸与された前記車両が返却されると新たに前記パスコード群を送信し、前記記憶手段は、前記パスコード受信手段が新たなパスコード群を受信すると、記憶するパスコード群を更新し、前記設定手段は、前記記憶手段に記憶されるパスコード群が更新されると、更新されたパスコード群から選択したパスコードを前記錠を解錠するパスコードに設定し、前記第２送信手段は、前記設定手段が設定したパスコードを送信する手段であり、前記車両管理装置は、前記第１送信手段が送信したパスコード群の送信に対する前記応答送信手段からの応答を受信すると、当該パスコード群を有効なパスコード群として扱い、前記有効なパスコード群から選択したパスコードを前記車両が貸与されるユーザの端末装置へ前記第２送信手段で送信し、前記第１送信手段が送信したパスコード群の送信に対する前記応答送信手段からの応答を受信していない場合、前記付属装置で受信済みのパスコード群から前記設定手段が設定したパスコードを前記車両が貸与されるユーザの端末装置へ前記第２送信手段で送信することを特徴とする車両管理システムを提供する。
【０００８】
また、本発明においては、前記第１送信手段は、複数の付属装置へ前記パスコード群を送信し、各付属装置に送信されるパスコード群は、他の付属装置へ送信されるパスコード群とは異なる構成としてもよい。
【０００９】
また、本発明においては、前記付属装置は、前記ユーザへの前記車両の貸与が終了した場合、前記ユーザが前記錠の解錠に使用したパスコードを前記記憶手段から消去する構成としてもよい。
【００１０】
また、本発明においては、前記付属装置は、前記設定手段が設定したパスコードと異なるパスコードを前記パスコード受付手段で受付けた場合、設定されていないパスコードを受け付けたことを通知する情報を前記車両管理装置へ送信する情報送信手段を有し、前記車両管理装置は、前記情報送信手段が送信した情報を受信する情報受信手段を有し、前記情報受信手段が前記情報を受信した場合、前記パスコードの誤入力を通知する情報を前記第２送信手段で前記ユーザの端末装置へ送信する構成としてもよい。
【００１１】
また、本発明においては、前記パスコード発行手段は、所定の場所へ駐車中の前記車両の前記付属装置へ前記パスコード群を発行する場合、当該車両の場所及び当該車両の場所から所定範囲内にある所定の駐車場に駐車中の車両、又は当該車両の場所から所定範囲内にある車両のうちの少なくともいずれか一方の車両の前記付属装置で受信済みのパスコード群とは異なるパスコード群を発行する構成としてもよい。
【００１２】
また、本発明は、車両の錠の解錠に用いられる複数のパスコードを含むパスコード群を発行するパスコード発行手段と、前記パスコード群を前記錠を制御する付属装置へ送信する第１送信手段と、前記車両が貸与されるユーザの端末装置へ前記パスコード群から選択したパスコードを送信する第２送信手段とを有し、前記第１送信手段は、貸与された前記車両が返却されると新たに前記パスコード群を送信し、前記第２送信手段は、前記付属装置が前記第１送信手段で送信されたパスコード群から前記錠を解錠するパスコードとして設定したパスコードを送信し、前記付属装置は、前記第１送信手段が送信したパスコード群を受信すると、当該パスコード群の送信に対する応答を前記車両管理装置へ送信する応答送信手段を有し、前記第１送信手段が送信したパスコード群の送信に対する前記応答送信手段からの応答を受信すると、当該パスコード群を有効なパスコード群として扱い、前記有効なパスコード群から選択したパスコードを前記車両が貸与されるユーザの端末装置へ前記第２送信手段で送信し、前記第１送信手段が送信したパスコード群の送信に対する前記応答送信手段からの応答を受信していない場合、前記付属装置で受信済みのパスコード群から前記付属装置が設定したパスコードを前記車両が貸与されるユーザの端末装置へ前記第２送信手段で送信することを特徴とする車両管理装置を提供する。
【００１４】
また、本発明は、車両管理装置が、車両の錠の解錠に用いられる複数のパスコードを含むパスコード群を発行するパスコード発行ステップと、前記車両管理装置が、前記パスコード群を前記錠を制御する付属装置へ送信する第１送信ステップと、前記車両管理装置が、前記車両が貸与されるユーザの端末装置へ前記パスコード群から選択したパスコードを送信する第２送信ステップと、前記付属装置が、前記第１送信ステップで送信されたパスコード群を受信するパスコード受信ステップと、前記付属装置が、前記パスコード受信ステップで受信したパスコード群を記憶する記憶ステップと、前記付属装置が、前記記憶ステップで記憶されたパスコード群のうち使用されていないパスコードを前記錠を解錠するパスコードに設定する設定ステップと、前記付属装置が、前記パスコードの入力を受け付けるパスコード受付ステップと、前記付属装置が、前記パスコード受付ステップで受け付けたパスコードと、前記設定ステップで設定したパスコードとが一致した場合、前記錠を解錠する錠制御ステップと、前記第１送信ステップで送信されたパスコード群が前記パスコード受信ステップで受信されると、当該パスコード群の送信に対する応答を前記車両管理装置へ送信する応答送信ステップと、を有し、前記第１送信ステップは、貸与された前記車両が返却されると新たに前記パスコード群を送信し、前記記憶ステップは、前記パスコード受信ステップで新たなパスコード群を受信すると、記憶するパスコード群を更新し、前記設定ステップは、記憶されるパスコード群が前記記憶ステップで更新されると、更新されたパスコード群から選択したパスコードを前記錠を解錠するパスコードに設定し、前記第２送信ステップは、前記設定ステップが設定したパスコードを送信するステップであり、前記車両管理装置は、前記第１送信ステップで送信されたパスコード群に対して前記応答送信ステップからの応答を受信すると、当該パスコード群を有効なパスコード群として扱い、前記有効なパスコード群から選択したパスコードを前記車両が貸与されるユーザの端末装置へ前記第２送信ステップで送信し、前記第１送信ステップで送信されたパスコード群に対して前記応答送信ステップからの応答を受信していない場合、前記付属装置で受信済みのパスコード群から前記設定ステップで設定されたパスコードを前記車両が貸与されるユーザの端末装置へ前記第２送信ステップで送信することを特徴とする車両管理方法を提供する。
【００１５】
また、本発明は、コンピュータを、車両の錠の解錠に用いられる複数のパスコードを含むパスコード群を発行するパスコード発行手段と、前記パスコード群を前記錠を制御する付属装置へ送信する第１送信手段と、前記車両が貸与されるユーザの端末装置へ前記パスコード群から選択したパスコードを送信する第２送信手段として機能させ、前記第２送信手段は、前記付属装置が前記第１送信手段で送信されたパスコード群から前記錠を解錠するパスコードとして設定したパスコードを送信するよう機能させ、前記第１送信手段は、貸与された前記車両が返却されると新たに前記パスコード群を送信し、前記第１送信手段が送信したパスコード群の送信に対する前記付属装置からの応答を受信すると、当該パスコード群を有効なパスコード群として扱い、前記有効なパスコード群から選択したパスコードを前記車両が貸与されるユーザの端末装置へ前記第２送信手段で送信し、前記第１送信手段が送信したパスコード群の送信に対する前記付属装置からの応答を受信していない場合、前記付属装置で受信済みのパスコード群から前記付属装置が設定したパスコードを前記車両が貸与されるユーザの端末装置へ前記第２送信手段で送信するよう機能させるためのプログラムを提供する。
【発明の効果】
【００１６】
本発明によれば、錠を解錠するための情報を車両側で受信できない状況が生じても、車両を使用することができる。
【図面の簡単な説明】
【００１７】
【図１】本発明の一実施形態に係る車両管理システムを構成する装置を示した図。
【図２】付属装置のハードウェア構成を示したブロック図。
【図３】付属装置の機能構成を示したブロック図。
【図４】車両管理装置のハードウェア構成を示したブロック図。
【図５】車両管理装置の機能構成を示したブロック図。
【図６】実施形態の第１動作例を説明するためのシーケンス図。
【図７】パスコードの一例を示した図。
【図８】実施形態の第２動作例を説明するためのシーケンス図。
【図９】変形例に係る付属装置１０の機能構成を示したブロック図。
【図１０】変形例に係る車両管理装置２０の機能構成を示したブロック図。
【図１１】記憶部２０２に記憶される情報の一例を示した図。
【図１２】記憶部２０２に記憶される情報の一例を示した図。
【図１３】記憶部２０２に記憶される情報の一例を示した図。
【図１４】記憶部２０２に記憶される情報の一例を示した図。
【発明を実施するための形態】
【００１８】
［実施形態］
（全体構成）
図１は、本実施形態に係わる車両管理システム１を構成する装置を示した図である。車両管理システム１は、レンタル自転車を管理するシステムであり、付属装置１０、車両管理装置２０及び発信機４０を有する。車両管理システム１には多数の付属装置１０及び発信機４０が存在するが、図面が繁雑になるのを防ぐために、一つの付属装置１０と、一つの発信機４０のみを図１に示している。通信網２は、端末装置３０Ａ、３０Ｂへ音声通信やデータ通信などの通信サービスを提供する移動体通信網である。なお、通信網２は、インターネットや固定電話網なども含めることができる。付属装置１０、車両管理装置２０及び端末装置３０Ａ、３０Ｂは、通信網２を介してデータ通信を行う。
【００１９】
付属装置１０は、レンタル自転車に固定されており、レンタル自転車に設けられた電子錠３を制御する機能を有している。また、付属装置１０は、通信網２を介して車両管理装置２０と通信を行う機能を備えている。車両管理装置２０は、複数のレンタル自転車を管理する装置であり、レンタル自転車の電子錠３を解錠するためのパスコード、レンタル自転車の位置、レンタル自転車が貸与されるユーザの情報などを管理する。
【００２０】
端末装置３０Ａ、３０Ｂは、本実施形態においてはスマートフォンであり、通信網２を介して音声通信やデータ通信を行う。本実施形態においては、端末装置３０Ａ、３０Ｂはスマートフォンであるが、スマートフォンに限定されるものではなく、通信網２を介した通信を行う機能を備えているものであれば、タブレットＰＣ（Personal Computer）、フィーチャーフォン又はＰＤＡ（Personal Digital Assistant）などであってもよい。なお、端末装置３０Ａ、３０Ｂの構成は同じであるため、以下、各々を区別する必要のない場合は端末装置３０と記載する。
発信機４０は、レンタル自転車の駐輪場（車両の駐車場の一例）に設置された装置であり、駐輪場を一意に識別する駐輪場識別子を送信する。なお、本実施形態においては、発信機４０は、３１５ＭＨｚ帯の電波を用いる無線装置であり、駐輪場識別子を予め定められた周期で送信する。
本実施形態においては、一つの駐輪場に一つの発信機４０が配置され、駐輪場は複数存在する。また、一つの駐輪場には、付属装置１０が固定されたレンタル自転車が複数台駐輪され、車両管理装置２０は、各駐輪場と、各駐輪場に駐輪された各レンタル自転車を管理する。
【００２１】
（付属装置１０の構成）
図２は、付属装置１０のハードウェア構成の一例を示したブロック図である。制御部１０１は、ＣＰＵ（Central Processing Unit）、ＲＯＭ（Read Only Memory）及びＲＡＭ（Random Access Memory）を備えたマイクロコントローラである。ＣＰＵがＲＯＭに記憶されているプログラムを実行すると、後述する各種機能が実現する。
記憶部１０２は、不揮発性メモリであり、付属装置１０が固定されているレンタル自転車の電子錠３を解錠するためのパスコード、付属装置１０を一意に識別する装置識別子、レンタル自転車の駐輪場の駐輪場識別子などを記憶する。
【００２２】
表示部１０３は、液晶ディスプレイを備えており、付属装置１０を操作するための画面や各種メッセージを表示する。操作部１０４は、テンキーや、自転車のレンタルを開始するための「開始」ボタン、自転車のレンタルを終了するための「終了」ボタンなどを有する。通信部１０５は、通信網２を介して通信を行う通信インターフェースとして機能し、各種情報の受信や送信を行う。電波受信部１０８は、発信機４０が送信する電波を受信する機能を有する。電波受信部１０８は、発信機４０が送信する電波が表す駐輪場識別子を制御部１０１へ出力する。なお、本実施形態においては、通信部１０５と電波受信部１０８は付属装置１０が備える構成となっているが、各々をレンタル自転車に固定し、付属装置１０の外部に設けるようにしてもよい。また、本実施形態においては、電子錠３は、付属装置１０の外部に設けられているが、付属装置１０と一体化されている構成であってもよい。
【００２３】
図３は、付属装置１０において実現する機能のうち、本発明に係る機能の構成を示したブロック図である。パスコード受信部１００１は、通信部１０５が受信したパスコードを受信するブロックである。パスコード受信部１００１が受信したパスコードは、記憶部１０２に記憶される。なお、本実施形態においては、パスコードは４桁の数字となっている。パスコード受付部１００３は、操作部１０４のテンキーで入力されたパスコードを受け付けるブロックである。パスコード受付部１００３が受け付けたパスコードは、錠制御部１００２へ送られる。設定部１００４は、記憶部１０２に記憶された複数のパスコードのいずれかを、電子錠３を解錠するパスコードに設定するブロックである。錠制御部１００２は、電子錠３を制御するブロックである。錠制御部１００２は、パスコード受付部１００３が受け付けたパスコードと、設定部１００４が設定したパスコードとが一致した場合、電子錠３を解錠する。
【００２４】
（車両管理装置２０の構成）
図４は、車両管理装置２０のハードウェア構成の一例を示したブロック図である。制御部２０１は、ＣＰＵ、ＲＯＭ及びＲＡＭを有しており、ＣＰＵがＲＯＭに記憶されているプログラムを実行すると、後述する各種機能が実現する。記憶部２０２は、ハードディスク装置を有しており、付属装置１０へ送信したパスコードや、レンタル自転車を返却可能な駐輪場の駐輪場識別子、レンタル自転車を借りるユーザに関する情報などを記憶する。ユーザに関する情報としては、車両管理装置２０がユーザを認証するためのユーザ識別子及びパスワード、ユーザの氏名、ユーザの電子メールアドレスなどがある。なお、これらの情報は一例であり、ユーザの住所や電話番号などを記憶してもよい。ユーザに関する情報は、ユーザがレンタル自転車を借用する前に予め記憶部２０２に記憶される。
【００２５】
表示部２０３は、液晶ディスプレイを備えており、車両管理装置２０を操作するための画面や記憶部２０２に記憶されている情報などを表示する。操作部２０４は、キーボードやマウスであり、車両管理装置２０は、キーボードやマウスに行われた操作に応じて動作する。通信部２０５は、通信網２を介して通信を行う通信インターフェースとして機能する。通信部２０５は、通信網２を介して付属装置１０と情報のやり取りを行う。
【００２６】
図５は、車両管理装置２０において実現する機能のうち、本発明に係る機能の構成を示したブロック図である。パスコード発行部２００３は、付属装置１０や端末装置３０へ送信するパスコードを発行するブロックである。第１送信部２００１は、パスコード発行部２００３が発行した複数のパスコードを付属装置１０へ送信するブロックである。第１送信部２００１は、通信部２０５を制御してパスコードを付属装置１０へ送信する。第２送信部２００２は、レンタル自転車が貸与されるユーザの端末装置３０へパスコードを送信するブロックである。第２送信部２００２は、通信部２０５を制御してパスコードを端末装置３０へ送信する。
【００２７】
（実施形態の動作例）
まず、本実施形態の第１動作例について図６のシーケンス図を用いて説明する。レンタル自転車の管理者が付属装置１０の電源をオンとすると、制御部１０１のＣＰＵがＲＯＭに記憶されているプログラムを起動する（ステップＳ１）。制御部１０１は、まず自身の装置識別子を含み、起動したことを示すメッセージを車両管理装置２０へ送信する（ステップＳ２）。
【００２８】
車両管理装置２０は、ステップＳ２で送信されたメッセージを受信すると、制御部２０１（パスコード発行部２００３）が、付属装置１０へ送信するパスコードを発行する（パスコード発行ステップ）。なお、ここで車両管理装置２０は、複数の異なるパスコード（本実施形態では４個）を発行し、発行した第１パスコード〜第４パスコードと、受信したメッセージに含まれていた装置識別子とを対応付けて、図７（ａ）に示したテーブルを記憶部２０２に記憶させる。なお、「受信済み」のフラグと「有効」のセルの値は、発行したパスコードが付属装置１０で受信されたことが確認されるまでは「０」にされる。制御部２０１（第１送信部２００１）は、パスコードの記憶が終了すると、発行した複数のパスコードを含み、パスコードを設定するよう要求するメッセージを付属装置１０へ送信する（ステップＳ３：第１送信ステップ）。なお、複数のパスコードは、第１パスコード、第２パスコード、第３パスコード、第４パスコードの順番に送信される。
【００２９】
付属装置１０（パスコード受信部１００１）は、ステップＳ３で送信された複数のパスコードを受信すると、制御部１０１が、受信した複数のパスコードを受信した順番で図７（ｂ）に示したように記憶部１０２（記憶手段）に記憶させる（ステップＳ４）。また、制御部１０１（設定部１００４）は、新たに４つのパスコードを受信した場合、複数のパスコードのうち１番目に使用することが予定されているパスコード（ここでは第１パスコードの「１００１」）を、電子錠３を解錠するパスコードとして設定する（ステップＳ５）。なお、本実施形態においては、第１パスコード〜第４パスコードは、予め使用する順番が定められており、第１パスコード、第２パスコード、第３パスコード、第４パスコードの順番になっている。第１パスコード〜第４パスコードを使用する順番が予め定められているため、付属装置１０が設定したパスコードがいずれのパスコードであるかを車両管理装置２０へ送信しなくても、車両管理装置２０側においては、付属装置１０が設定したパスコードを把握することができる。制御部１０１は、パスコードの設定を終了した後、装置識別子を含み、パスコードを受信したことを通知するメッセージを車両管理装置２０へ送信する（ステップＳ６）。車両管理装置２０は、このメッセージを受信すると、レンタル自転車を借用するユーザに送るパスコードを設定する（ステップＳ７）。具体的には、制御部２０１は、メッセージに含まれている装置識別子に対応付けて記憶されている「受信済み」のフラグを「１」にする。また、制御部２０１は、パスコードを受信したことを示すメッセージを受信すると「受信済み」のフラグが１である行の「有効」のセルを「１」にする。「有効」のセルは、第１パスコード〜第４パスコードのうち、どのパスコードが電子錠３を解錠するパスコードとして設定されているかを示す値が格納される。ここで「１」が格納されている場合は第１パスコードが設定され、「２」が格納されている場合は第２パスコードが設定されている。また、「３」が格納されている場合は第３パスコードが設定され、「４」が格納されている場合は第４パスコードが設定されている。「受信済み」のフラグを参照することにより、発行したパスコードを付属装置１０が受信したか否かを判定できる。また、「有効」のセルを参照することにより、付属装置１０において、どのパスコードが電子錠３を解錠するパスコードとして設定されているか知ることができる。
【００３０】
レンタル自転車を借用するユーザＡは、端末装置３０Ａを操作して車両管理装置２０へアクセスし、電子錠３を解錠するためのパスコードを取得する。具体的には、まず、車両管理装置２０が、ユーザを認証する動作が行われる（ステップＳ８）。ここでは、端末装置３０ＡにおいてユーザがＷｅｂブラウザを操作し、車両管理装置２０へログインするためのＷｅｂページへアクセスする操作を行うと、当該Ｗｅｂページを要求するメッセージが車両管理装置２０へ送信される。車両管理装置２０は、このメッセージに応じて、ユーザを認証するユーザ識別子及びパスワードを入力するＷｅｂページを端末装置３０Ａへ送信する。端末装置３０Ａが、このＷｅｂページを表示した後、ユーザがユーザ識別子及びパスワードを入力し、入力したユーザ識別子及びパスワードを送信する操作を行うと、入力したユーザ識別子及びパスワードが車両管理装置２０へ送信される。車両管理装置２０は、送信されたユーザ識別子及びパスワードの組を記憶している場合、ユーザに提供するサービスのメニュー画面のＷｅｂページを端末装置３０Ａへ送信する。
【００３１】
次にレンタル自転車の駐輪場を選択する動作が行われる（ステップＳ９）。ここでは、ユーザＡが、メニュー画面から駐輪場を選択するページへ遷移する操作を行うと、レンタル自転車の複数の駐輪場の地図を表示するＷｅｂページが車両管理装置２０から端末装置３０Ａへ送られ、このＷｅｂページが表示される。ユーザＡが、表示された駐輪場の中から駐輪場を選択する操作を行うと、当該駐輪場に保管されているレンタル自転車の一覧を表示するＷｅｂページが車両管理装置２０から端末装置３０Ａへ送信される。
【００３２】
次に借用するレンタル自転車を選択する動作が行われる（ステップＳ１０）。ここでユーザＡが、表示されたレンタル自転車の一覧から借用する自転車を選択する操作を端末装置３０Ａにおいて行うと、選択したレンタル自転車の識別子が車両管理装置２０へ通知される。
【００３３】
車両管理装置２０においては、選択されたレンタル自転車の識別子が通知されると、制御部２０１（第２送信部２００２）が、当該識別子のレンタル自転車に固定されている付属装置１０で受信済みのパスコードのうち、「有効」のセルに格納されている値で特定される１番目に送信されたパスコード（ここでは「受信済み」のフラグが１である行の第１パスコード「１００１」）を選択する。そして、制御部２０１は、選択したパスコードを表示するＷｅｂページを端末装置３０Ａへ送信する（ステップＳ１１：第２送信ステップ）。端末装置３０Ａは、このＷｅｂページを受信すると、受信したＷｅｂページを表示する。これにより、ユーザＡは、自分が選択したレンタル自転車を使用するためのパスコードを知ることができる（ステップＳ１２）。また、車両管理装置２０は、選択されたレンタル自転車に固定されている付属装置１０の装置識別子と、ユーザＡのユーザ識別子とを対応付けて記憶する。
【００３４】
この後、ユーザＡは、レンタル自転車の駐輪場へ行き、選択したレンタル自転車に設けられている付属装置１０を操作する。具体的には、ユーザＡは、まず、開始ボタンを押下する。付属装置１０は、開始ボタンが押下されると、パスコードの入力を促すメッセージを表示する。次にユーザＡがパスコードを操作部１０４のテンキーで入力すると、付属装置１０（パスコード受付部１００３）は、入力されたパスコードを受け付け（ステップＳ１３）、錠制御部１００２は、受け付けたパスコードと設定部１００４が設定したパスコードとが一致するか判断する。ここで、受け付けたパスコードと設定したパスコードとが一致した場合、付属装置１０は電子錠３を解錠する（ステップＳ１４）。これにより、ユーザＡは、レンタル自転車を使用することが可能となる。
【００３５】
付属装置１０は、電子錠３を解錠すると、自身の装置識別子を含み、レンタル開始を通知するメッセージを車両管理装置２０へ送信する（ステップＳ１５）。車両管理装置２０は、このメッセージを受信すると、メッセージに含まれている装置識別子の付属装置１０が設けられているレンタル自転車をレンタル中として管理する。
【００３６】
続いて、レンタル自転車を返却する場合の処理について説明する。ユーザＡは、レンタル自転車を返却する場合、駐輪場へレンタル自転車を戻す。付属装置１０は、駐輪場に位置すると、駐輪場に設けられた発信機４０から送信されている駐輪場識別子を受信する（ステップＳ１６）。また、ユーザＡは、電子錠３を施錠する（ステップＳ１７）。付属装置１０は、駐輪場識別子を受信し、電子錠３が施錠されると、終了ボタンの押下を受け付けるようにする（ステップＳ１８）。例えば、付属装置１０は、終了ボタンを点灯させ、レンタル終了可能な状態をユーザに示してもよく、終了ボタンの押下を促すメッセージを表示部１０３に表示させるようにしてもよい。ここでユーザＡが終了ボタンを押下すると（ステップＳ１９）、付属装置１０は、自身の装置識別子と受信した駐輪場識別子とを含み、レンタル終了を通知するメッセージを車両管理装置２０へ送信する（ステップＳ２０）。
付属装置１０は、ステップＳ２０の処理が終了すると、記憶した４つのパスコードのうち、次に電子錠３を解錠するパスコードとして２番目に送信された第２パスコード（ここでは「２３４２」）を設定する（ステップＳ２１）。
【００３７】
一方、車両管理装置２０は、ステップＳ２０で送信されたメッセージを受信すると、受信したメッセージに含まれている装置識別子に対応付けて記憶されているユーザ識別子を特定し、当該ユーザ識別子に対応付けて記憶している電子メールアドレスを記憶部１０２から取得する。そして車両管理装置２０は、レンタル終了を通知する電子メールを生成し、生成した電子メールを、取得した電子メールアドレスを宛先として送信する（ステップＳ２２）。
【００３８】
また、車両管理装置２０は、レンタル終了を通知するメッセージを受信すると、次のユーザに送信するパスコードを設定する（ステップＳ２３）。具体的には、制御部２０１は、レンタル終了を通知するメッセージを受信すると、受信したメッセージに含まれていた装置識別子に対応付けて記憶されている行のうち「受信済み」のフラグが１である行を特定し、特定した行の「有効」のセルの値に１を加算して２にする。
次に車両管理装置２０は、新たに複数のパスコードを発行し、発行した第１パスコード〜第４パスコードと、受信したメッセージに含まれていた装置識別子とを対応付けて、図７（ｃ）に示したように記憶部２０２に記憶させる。なお、ここでは、新たに発行したパスコードの行においては「受信済み」のフラグが「０」にされ、「有効」のセルの値が０にされる。
制御部２０１は、パスコードの記憶が終了すると、新たに発行した複数のパスコードを含み、パスコードを設定するよう要求するメッセージを付属装置１０へ送信する（ステップＳ２４）。なお、複数のパスコードは、ここでも第１パスコード、第２パスコード、第３パスコード、第４パスコードの順番に送信される。
【００３９】
付属装置１０は、ステップＳ２４で送信された複数のパスコードを受信すると、制御部１０１が、受信した複数のパスコードを受信した順番で図７（ｄ）に示したように記憶部１０２に記憶させる（ステップＳ２５）。なお、付属装置１０は、記憶部１０２に記憶されていたパスコードを、新たに受信したパスコードで上書きし、ステップＳ４で記憶したパスコードを消去する。また、制御部１０１は、受信した順番が１番目のパスコード（ここでは「２００１」）を、電子錠３を解錠するパスコードとして設定する（ステップＳ２６）。制御部１０１は、パスコードの設定を終了した後、装置識別子を含み、パスコードを受信したことを通知するメッセージを車両管理装置２０へ送信する（ステップＳ２７）。車両管理装置２０は、このパスコードを受信したことを通知するメッセージを受信すると、次のユーザに送信するパスコードを設定する（ステップＳ２８）。具体的には、制御部２０１は、図７（ｅ）に示したように、メッセージに含まれている装置識別子に対応付けて記憶されていたパスコードのうち、「受信済み」のフラグが「１」であった行を消去し、「受信済み」のフラグが「０」となっていた行の「受信済み」のフラグを「１」にし、当該行の「有効」のセルの値を１にする。つまり、ステップＳ２３で新たに発行したパスコードが受信済みのパスコードとなる。
【００４０】
次に端末装置３０ＢのユーザＢが、ユーザＡが借用したレンタル自転車を借用する場合、端末装置３０Ｂを操作し、ユーザＡの場合と同様に、認証動作（ステップＳ２９）、レンタル自転車の駐輪場を選択する動作（ステップＳ３０）、レンタル自転車を選択する動作（ステップＳ３１）を行う。
車両管理装置２０は、選択されたレンタル自転車が通知されると、選択されたレンタル自転車に固定されている付属装置１０で受信済みのパスコードのうち、「有効」のセルに格納されている値で特定される１番目に送信されたパスコード（ここでは「受信済み」のフラグが１である行の第１パスコード「２００１」）を記憶部２０２から取得し、取得したパスコード表示するＷｅｂページを端末装置３０Ｂへ送信する（ステップＳ３２）。端末装置３０Ｂは、このＷｅｂページを受信すると、受信したＷｅｂページを表示する。これにより、ユーザＢは、自分が選択したレンタル自転車を使用するためのパスコードを知ることができる（ステップＳ３３）。
【００４１】
次に本実施形態の第２動作例について図８を用いて説明する。第２動作例は、第１動作例のステップＳ２４で送信されたパスコードが、付属装置１０で受信できなかった場合の動作例である。なお、図８に示したステップＳ２４より前においては、第１動作例のステップＳ１〜ステップＳ２３の動作が行われており、車両管理装置２０においては、図７（ｃ）のパスコードが記憶され、付属装置１０には図７（ｂ）のパスコードが記憶されているものとする。
図８に示したように、ステップＳ２４で車両管理装置２０から送信された複数のパスコードを付属装置１０が受信できなかった場合、付属装置１０においては、ステップＳ２１で設定した第２パスコードの「２３４２」が、電子錠３を解錠するパスコードとして設定されている。なお、車両管理装置２０は、パスコードを受信してパスコードを設定したことを通知するメッセージを付属装置１０から受信するまでは、新たに発行したパスコードを周期的に送信する。
【００４２】
ここで、ユーザＢが、ユーザＡが借用したレンタル自転車を借用する場合、端末装置３０Ｂを操作し、ユーザＡと場合と同様に、認証動作（ステップＳ４０）、レンタル自転車の駐輪場を選択する動作（ステップＳ４１）、レンタル自転車を選択する動作（ステップＳ４２）を行う。
【００４３】
なお、付属装置１０は、ステップＳ２０の後、車両管理装置２０からのパスコードが送信されてこない場合、パスコードを受信したことを通知するメッセージを送信しない（つまり、付属装置１０は、パスコードを受信し、解錠のためのパスコードを受信したパスコードに設定したときにのみ、パスコードを受信したことを通知するメッセージを送信する）。車両管理装置２０は、ステップＳ２４で複数のパスコードを送信したにも係わらず、パスコードを受信したことを通知するメッセージが送信されてこない場合、ステップＳ２４で送信したパスコードが付属装置１０で受信されていないものと判断する。
車両管理装置２０は、ステップＳ２４で送信した新たな複数のパスコードが付属装置１０で受信されていない間に、選択されたレンタル自転車が端末装置３０Ｂから通知されると、選択されたレンタル自転車に固定されている付属装置１０で受信済みのパスコード、即ち、ステップＳ３で送信された複数のパスコード（図７（ｃ）において「受信済み」のフラグが１となっている行のパスコード）のうち、有効のセルに格納されている値の「２」で特定されるパスコード（即ち、２番目に受信されたパスコード（ここでは「２３４２」））を表示するＷｅｂページを端末装置３０Ｂへ送信する（ステップＳ４３）。端末装置３０Ｂは、このＷｅｂページを受信すると、受信したＷｅｂページを表示する。これにより、ユーザＢは、自分が選択したレンタル自転車を使用するためのパスコードを知ることができる（ステップＳ４４）。
【００４４】
この後、ユーザＢは、レンタル自転車の駐輪場へ行き、選択したレンタル自転車に設けられている付属装置１０を操作する。ユーザＢは、まず、開始ボタンを押下する。付属装置１０は、開始ボタンが押下されると、パスコードの入力を促すメッセージを表示する。次にユーザＢが、Ｗｅｂページで表示されたパスコードの「２３４２」を操作部１０４のテンキーで入力すると、付属装置１０は、入力されたパスコードを受け付け（ステップＳ４５）、受け付けたパスコードが電子錠３を解錠するパスコードとして設定されているか判断する。ここでは、ステップＳ２１の処理により、受け付けたパスコード「２３４２」が電子錠３を解錠するパスコードとして設定されているため、付属装置１０は電子錠３を解錠する（ステップＳ４６）。これにより、ユーザＢは、レンタル自転車を使用することが可能となる。
【００４５】
以上説明したように本実施形態においては、ユーザＡがパスコードを入力する際にパスコードを盗み見られたとしても、車両管理装置２０と付属装置１０とが通信を行い、レンタル自転車を借用するユーザが替わる際にはパスコードが変更されるため、レンタル自転車の盗難を防ぐことができる。
また、レンタル自転車の駐輪場は、屋内や駐輪場など、電波の届きにくい場所や電波の届かない場所に設けられることがある。本実施形態においては、レンタル自転車が電波状況の悪い場所にあり、パスコードを車両管理装置２０から付属装置１０へ送信できない場合があっても、ユーザが替わった際に電子錠３を解錠するためのパスコードが変更されるため、次のユーザはレンタル自転車を使用することができる。
また、ユーザがレンタル自転車を予約する前において、付属装置１０が通信を行える状態にあるときにパスコードが設定され、車両管理装置２０において、付属装置１０で設定されたパスコードを管理するため、車両管理装置２０が付属装置１０へパスコードを送信できない状態にあっても、電子錠３を解錠するパスコードをユーザに対して送信することができる。
【００４６】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００４７】
上述した実施形態においては、付属装置１０は、使用済みのパスコードを記憶部１０２から消去するようにしてもよい。
【００４８】
本発明においては、レンタル自転車は複数台存在し、レンタル自転車毎に付属装置１０が設けられる。車両管理装置２０は、パスコードを付属装置１０へ送信する際、他の付属装置１０が記憶しているパスコードと同じパスコードを送信しないようにしてもよい。同じパスコードを記憶した付属装置１０が複数ある場合、これらの付属装置１０を有するレンタル自転車が隣り合うと、ユーザが予約していない自転車に対してパスコードを入力した場合に、開錠されてしまう不具合が生じ得る。本変形例によれば、同じパスコードが使われることがなくなり、ユーザが予約していない自転車に対してパスコードを入力した場合に、開錠されてしまうという不具合を避けることができる。
【００４９】
上述した実施形態においては、付属装置１０は、設定したパスコードと異なるパスコードを所定回数（例えば３回）続けて受け付けた場合、所定期間（例えば３０分）は入力されたパスコードを受け付けないようにしてもよい。なお、当該所定回数は、３回に限定されるものではなく、他の回数であってもよく、また、当該所定期間は、３０分ではなく他の期間であってもよい。
また、付属装置１０は、設定したパスコードと異なるパスコードを所定回数続けて受け付けた場合、誤ったパスコードが入力されたことを通知する情報を車両管理装置２０へ送信してもよい。また、この情報を受信した車両管理装置２０は、当該情報を送信した付属装置１０が固定されているレンタル自転車を予約したユーザへ、誤ったパスコードを入力したことを通知する電子メールを送信するようにしてもよい。また、この電子メールを受け取ったユーザが、例えば端末装置３０で車両管理装置３０へアクセスし、付属装置１０がパスコードを受け付けるように指示する操作を行った場合、パスコードを受け付けるよう指示するメッセージを車両管理装置２０が付属装置１０へ送信し、このメッセージを受信した付属装置１０は、パスコードを受け付けない状態を解除するようにしてもよい。このようにすることで、セキュリティを高くしつつも、ユーザの利便性を向上させることができる。
図９は、本変形例に係る付属装置１０の機能構成を示したブロック図であり、図１０は、本変形例に係る車両管理装置２０の機能構成を示したブロック図である。本変形例に係る付属装置１０においては、誤ったパスコードが入力されたことを通知する情報を車両管理装置２０へ送信する情報送信部１００５が実現する。また、本変形例に係る車両管理装置２０においては、情報送信部１００５が送信した情報を受信し、誤ったパスコードを入力したことを通知する電子メールを送信するよう第２送信部２００２を制御する情報受信部２００４が実現する。
【００５０】
上述した実施形態においては、自転車の錠を解錠する構成となっているが、自転車に限定されるものではなく、車両であればモーターバイクや自動車などであってもよい。自動車の場合においては、「駐輪場識別子」を「駐車場識別子」としてもよい。
【００５１】
上述した実施形態においては、新たに発行して送信したパスコードが付属装置１０で受信されなかった場合、付属装置１０においては、パスコードを受信した順番で設定する構成となっているが、パスコードを設定する構成は、この構成に限定されるものではない。例えば、パスコードと、パスコードを使用する順番を表す情報とを組にして送信し、この順番に従ってパスコードを設定するようにしてもよい。また、パスコードが上述したように４桁の数字の場合、値の小さなパスコードから順番に設定してもよく、値の大きなパスコードから順番に設定するようにしてもよい。また、パスコードは、４桁の数字に限定されるものではなく、５桁以上又は３桁以下であってもよく、また、数字だけでなくアルファベットを使用する構成であってもよい。
【００５２】
上述した実施形態においては、電子錠３の解錠に有効なパスコードを一つ設定する構成となっているが、一つに限定されるものではなく、複数であってもよい。例えば、ステップＳ５において、電子錠３を解錠するためのパスコードとして付属装置１０が第１パスコードと第２パスコードとの２つのパスコードを設定する構成としてもよい。この場合、車両管理装置２０は、ユーザの端末装置３０に対して、第１パスコードと第２パスコードとを表示するＷｅｂページをステップＳ１０で送信する。
ユーザは、表示された第１パスコード又は第２パスコードを入力すると、電子錠３を解錠することができる。
【００５３】
上述した実施形態においては、付属装置１０から車両管理装置２０へ装置識別子と駐輪場識別子が送信され、車両管理装置２０は、付属装置１０がどの駐輪場にあるのかを知ることができる。車両管理装置２０は、装置識別子と駐輪場識別子とを対応付けて記憶し、パスコードを付属装置１０へ送信する際、同じ駐輪場識別子が対応付けて記憶されている付属装置１０へ送信したパスコードと同じパスコードを送信しないようにしてもよい。これにより、同じ駐輪場内で同じパスコードが使われることがなくなり、ユーザが誤った自転車（予約していない自転車）に対してパスコードを入力した場合に、開錠されてしまうという不具合を避けることができる。
例えば、装置識別子が「Ａ００１」の付属装置１０Ａと装置識別子が「Ａ００２」の付属装置１０Ｂが同じ駐輪場にあり、付属装置１０Ｂに新たにパスコードを送信する場合、図１１に示したように、付属装置１０Ｂには付属装置１０Ａに送信したパスコードを送信せず、他のパスコードを送信する。また、例えば、装置識別子が「Ａ００１」の付属装置１０Ａと装置識別子が「Ａ００３」の付属装置１０Ｃが異なる駐輪場にある場合、付属装置１０Ｃに新たにパスコードを送信する場合には、図１１に示したように、付属装置１０Ａに送信したパスコードと同じパスコードを付属装置１０Ｃへ送信してもよい。
また、装置識別子と駐輪場識別子とを対応付けて記憶する構成にあっては、パスコードを付属装置１０へ送信する際、当該付属装置１０が駐車されている駐輪場から所定範囲内にある駐輪場に駐車されているレンタル自転車の付属装置１０で受信されたパスコードとは異なるパスコードを送信してもよい。  例えば、駐輪場識別子が「Ｓ００２」の駐輪場Ｂが、駐輪場識別子が「Ｓ００１」の駐輪場Ａから所定範囲内にある場合を想定する。ここで、駐輪場Ｂに駐車されており、装置識別子が「Ａ００３」の付属装置１０Ｃにパスコードを送信する場合、車両管理装置２０は、図１１に例示したように、駐輪場識別子が「Ｓ００１」の駐輪場Ａにある付属装置１０Ａ、１０Ｂへ送信したパスコードとは異なるパスコードを送信する。
駐輪場Ｂに駐車されており、装置識別子が「Ａ００３」の付属装置１０Ｃにパスコードを送信するときに、駐輪場識別子が「Ｓ００１」の駐輪場Ａにある付属装置１０Ａ、１０Ｂへ送信したパスコードと同じパスコードを送信してしまうと、付属装置１０Ａ又は付属装置１０Ｂを有するレンタル自転車が駐輪場Ｂから移動して駐輪場Ａに駐車されたときに、同じ駐輪場内で同じパスコードが使用可能となり、ユーザが予約していない自転車に対してパスコードを入力した場合に、電子錠３が開錠されてしまうという不具合が生じ得る。
本変形例によれば、付属装置１０Ａ、１０Ｂと同じパスコードが付属装置１０Ｃに記憶されないため、このような不具合が発生するのを防ぐことができる。
【００５４】
上述した実施形態においては、車両管理装置２０がパスコードを送信する際、レンタル中のレンタル自転車に設けられた付属装置１０に記憶されているパスコードと同じパスコードを送信しないようにしてもよい。具体的には、上述した実施形態においては、車両管理装置２０は、レンタル開始を通知するメッセージを受信する。車両管理装置２０は、図１２に示したように装置識別子に対応付けて利用状況を記憶し、このメッセージを付属装置１０から受信すると、利用状況を「利用中」とする。また、車両管理装置２０は、レンタル終了を通知するメッセージを受信した場合、利用状況を「利用待ち」とする。装置識別子が「Ａ００２」であり利用状況が「利用待ち」である付属装置１０Ｂへ新たにパスコードを送信する場合、車両管理装置２０は、図１２に示したように、「利用中」であり装置識別子が「Ａ００１」である付属装置１０Ａで受信済みのパスコードとは異なるパスコードを、付属装置１０Ｂへ送信する。
利用中の付属装置１０Ａに記憶されているパスコードと同じパスコードを利用待ちのレンタル自転車の付属装置１０Ｂに記憶させた場合、付属装置１０Ａのレンタル自転車が付属装置１０Ｂのレンタル自転車と同じ駐輪場に駐車されて共に利用待ちとなると、同じ駐輪場内で同じパスコードが使用可能となり、ユーザが予約していない自転車に対してパスコードを入力した場合に、電子錠３が開錠されてしまうという不具合が生じ得る。
本変形例によれば、付属装置１０Ａに記憶されたパスコードと付属装置１０Ｂに記憶されたパスコードが同じとならないため、このような不具合が発生するのを防ぐことができる。
【００５５】
また、複数の付属装置１０を地域を区切った複数のグループに分け、同じグループに属する付属装置１０には同じパスコードを送信しないようにしてもよい。例えば、装置識別子が「Ａ００１」の付属装置１０Ａと、装置識別子が「Ａ００２」の付属装置１０ＢとをＡグループとし、装置識別子が「Ａ００３」の付属装置１０Ｃと、装置識別子が「Ａ００４」の付属装置１０ＤとをＢグループにグループ分けした場合を想定する。この場合、Ａグループに属する付属装置１０Ａと付属装置１０Ｂに対しては、図１３に示したように、グループ内で同じパスコードが発行されないようにする。また、Ｂグループに属する付属装置１０Ｃと付属装置１０Ｄに対しては、図１３に示したように、グループ内で同じパスコードが発行されないようにする。なお、付属装置１０Ａと付属装置１０Ｃとでは、属するグループが異なるため、図１３に示したように、同じパスコードを発行してもよい。これにより同じグループに属する付属装置１０においては、パスコードが重複しないようにすることができる。
【００５６】
上述した実施形態においては、ＧＰＳ（Global Positioning System）の電波を受信して位置を測位する測位部を付属装置１０に設け、測位部で測位した位置を付属装置１０から車両管理装置２０へ送信し、付属装置１０の位置を車両管理装置２０で把握するようにしてもよい。
この構成の場合、図１４に示したように装置識別子に対応付けて付属装置１０の位置を記憶する。この構成においては、記憶した位置に基いて駐輪場に位置しているか判定し、当該駐輪場から所定範囲内に位置し、且つ利用状況が「利用中」のレンタル自転車の付属装置１０へ送信したパスコードとは異なるパスコードを、当該駐輪場にある付属装置１０へ送信するようにしてもよい。
例えば、装置識別子が「Ａ００１」の付属装置１０Ａが（Ｘ１,Ｙ１）の位置にある駐輪場に位置し、装置識別子が「Ａ００２」の付属装置１０Ｂが、（Ｘ１,Ｙ１）の位置から所定範囲内の位置である（Ｘ２，Ｙ２）に位置し、且つ利用中である場合を想定する。この場合、図１４に示したように、付属装置１０Ａに対しては、付属装置１０Ｂとは異なるパスコードを送信する。
また、上述した実施形態においては、駐輪場識別子で付属装置１０の位置を把握してもよい。この構成の場合、駐輪場識別子を受信した付属装置１０は、装置識別子と駐輪場識別子とを車両管理装置２０へ送信し、車両管理装置２０は、付属装置１０が受信した駐輪場識別子を装置識別子に対応付けて記憶する。
この構成において、付属装置１０Ａが、駐輪場識別子が「ＮＥ００１」である駐輪場に位置し、付属装置１０Ｂが、この駐輪場の位置から所定範囲内の位置である（Ｘ２，Ｙ２）に位置し、且つ利用中である場合を想定する。この場合、駐輪場識別子に紐づけて予め記憶してある駐輪場の座標（Ｘ１，Ｙ１）を取得し、所定範囲内の位置である（Ｘ２，Ｙ２）に位置する付属装置１０Ｂとは異なるパスコードを付属装置１０Ａへ送信する。
これらの構成によれば、付属装置１０へパスコードを送信する場合、当該付属装置１０から所定範囲内にある付属装置１０に記憶されているパスコードと異なるパスコードを付属装置１０へ送信することができる。
付属装置１０Ｂに記憶されているパスコードと同じパスコードを付属装置１０Ａに記憶させた場合、付属装置１０Ｂのレンタル自転車が付属装置１０Ａのレンタル自転車と同じ駐輪場に駐車されて共に利用待ちとなると、同じ駐輪場内で同じパスコードが使用可能となり、ユーザが予約していない自転車に対してパスコードを入力した場合に、電子錠３が開錠されてしまうという不具合が生じ得る。
本変形例によれば、付属装置１０Ａに記憶されたパスコードと付属装置１０Ｂに記憶されたパスコードが同じとならないため、このような不具合が発生するのを防ぐことができる。
【００５７】
上述した実施形態においては、付属装置１０は、設定したパスコードを装置識別子と共に車両管理装置２０へ送信してもよい。車両管理装置２０は、この装置識別子とパスコードとを受信すると、受信した装置識別子を格納したテーブルにおいて「受信済み」のフラグが１である行を特定し、この行の「有効」のセルに受信したパスコードを格納するようにしてもよい。
【００５８】
上述した実施形態においては、付属装置１０は、パスコードを受信したことを通知するメッセージに、付属装置１０が設定したパスコードを含めるようにしてもよい。車両管理装置は、このメッセージに含まれているパスコードが第１パスコードである場合、「有効」のセルに「１」を格納し、含まれているパスコードが第２パスコードである場合、「有効」のセルに「２」を格納し、含まれているパスコードが第３パスコードである場合、「有効」のセルに「３」を格納し、含まれているパスコードが第４パスコードである場合、「有効」のセルに「４」を格納するようにしてもよい。
また、この構成においても、メッセージに含まれていたパスコードを「有効」のセルに格納するようにしてもよい。
「有効」のセルにパスコードを格納する構成においては、ユーザの端末装置３０へパスコードを送信する場合、「有効」のセルに格納されているパスコードを送信するようにしてもよい。
【００５９】
本発明に係る機能を実現するプログラムは、磁気記録媒体（磁気テープ、磁気ディスク（ＨＤＤ（Hard Disk Drive）、ＦＤ（Flexible Disk））など）、光記録媒体（光ディスクなど）、光磁気記録媒体、半導体メモリなどのコンピュータ読取り可能な記録媒体に記憶した状態で提供し、各装置にインストールしてもよい。また、通信網２を介してプログラムをダウンロードして各装置にインストールしてもよい。
【符号の説明】
【００６０】
１…車両管理システム、２…通信網、３…電子錠、１０…付属装置、２０…車両管理装置、３０、３０Ａ、３０Ｂ…端末装置、４０…発信機、１０１…制御部、１０２…記憶部、１０３…表示部、１０４…操作部、１０５…通信部、１０８…電波受信部、２０１…制御部、２０２…記憶部、２０３…表示部、２０４…操作部、２０５…通信部、１００１…パスコード受信部、１００２…錠制御部、１００３…パスコード受付部、１００４…設定部、２００１…第１送信部、２００２…第２送信部、２００３…パスコード発行部。
【図１】
0005643860.tif 000002
【図２】
0005643860.tif 000003
【図３】
0005643860.tif 000004
【図４】
0005643860.tif 000005
【図５】
0005643860.tif 000006
【図６】
0005643860.tif 000007
【図７】
0005643860.tif 000008
【図８】
0005643860.tif 000009
【図９】
0005643860.tif 000010
【図１０】
0005643860.tif 000011
【図１１】
0005643860.tif 000012
【図１２】
0005643860.tif 000013
【図１３】
0005643860.tif 000014
【図１４】
0005643860.tif 000015